(57)【要約】【課題】構成簡易であって施工も容易であり、材料コスト及び作業コストの低廉化が図れ、しかも、換気面積を増大させることができて十分な通気性能と防雨・防雪機能を確保することができ、小屋裏換気用としてのみならず、室内換気システムの排気塔等としての利用も可能な換気装置を提供することを課題とする。【解決手段】底面が開口された外殻１と前記外殻１内に配置される底面が開口された内殻２の二重殻構造であって、前記外殻１は、両側に傾斜する上面とそれに続く垂直側面６を有し、前記垂直側面６は閉塞されると共に前記上面傾斜面３には通気部４が形成され、前記内殻２は、両側に傾斜する上面とそれに続く垂直側面９を有し、前記内殻２の上面傾斜面８は閉塞されると共に、前記内殻２の垂直側面９には通気部１０が形成されている【選択図】図１
2006219905.tif 000002
【特許請求の範囲】
【請求項１】
底面が開口された外殻と前記外殻内に配置される底面が開口された内殻の二重殻構造であって、前記外殻は、両側に傾斜する上面とそれに続く垂直側面を有し、前記垂直側面は閉塞されると共に前記上面傾斜面には通気部が形成され、前記内殻は、両側に傾斜する上面とそれに続く垂直側面を有し、前記内殻の上面傾斜面は閉塞されると共に、前記内殻の垂直側面には通気部が形成されていることを特徴とする換気装置。
【請求項２】
前記外殻は外殻同士、前記内殻は内殻同士、それぞれ長さ方向に複数連結して長尺化され、前記外殻は前記内殻の一半部を覆うように配置され、互いに連結される２つの前記外殻の各一半部が合わさって１つの前記内殻全体を覆うようにした請求項１に記載の換気装置。
【請求項３】
前記外殻が複数連結されて長尺化される場合において、最端部に配置される前記外殻にはその端部側一半部に前記通気部が形成されず、且つ、その一半部内には前記内殻が配置されない請求項２に記載の換気装置。
【請求項４】
前記外殻の通気部は、小孔を連設して構成される請求項１乃至３のいずれかに記載の換気装置。
【請求項５】
前記内殻の通気部は、小孔を連設して構成される請求項１乃至４のいずれかに記載の換気装置。
【請求項６】
前記外殻の垂直側面と前記内殻の垂直側面との間に入り込んだ雨水を、前記内殻同士を接合するジョイント部分から排水可能にした請求項１乃至５のいずれかに記載の換気装置。
【請求項７】
前記内殻の垂直側面の下縁を延長してスロープを形成し、その裏面にクッション材を定着した請求項１乃至６のいずれかに記載の換気装置。
【請求項８】
前記外殻の垂直側面の下縁を延長してスロープを形成し、その裏面にクッション材を定着した請求項１乃至７のいずれかに記載の換気装置。
【請求項９】
前記外殻と前記内殻とは分離されていて、施工現場において組み立てられる請求項１乃至８のいずれかに記載の換気装置。
【発明の詳細な説明】
【技術分野】
【０００１】
本発明は、換気装置、より詳細には、建築物の屋根の棟部に設置されて、雨雪の屋内への吹き込みを防止しつつ屋根裏の換気を行う小屋裏換気装置として、あるいは、室内換気の排気塔等として使用される換気装置に関するものである。
【背景技術】
【０００２】
本願出願人は先に、簡易な構成で低コストにて供給でき、十分な通気性能を有していて十分な通気量を確保でき、取扱いやすく設置に場所を取らず、しかも強風雨時に雨雪が室内側に流入することを確実に防止できる棟換気部材として、山形であって、その傾斜側面に無数の通気孔を設けた通気部材と、前記通気部材の長さ方向両端を閉塞する弾性資材製の端部閉塞材と、通気性を有していて前記通気部材全体に被装されるカバーと、前記通気部材とカバーの長さ方向端部間の間隙を充填する間隙閉塞材とから成る棟換気材を提唱した（特開２００３−２０７６５）。
【０００３】
上記棟換気材により、構成の簡易化並びに低コスト化の要請は一応満たされたが、近時、更なる構成・施工の簡易化並びに低コスト化の要請がある。また、通気性を重視するあまり通気用開口を大きくすると、雨雪の入り込みを阻止できないこととなるので、換気面積を十分に取ることができないという問題がある。
【特許文献１】特開２００３−２０７６５号公報
【特許文献２】特開平９−７８７８２号公報
【特許文献３】特開２００１−３２９６６８号公報
【発明の開示】
【発明が解決しようとする課題】
【０００４】
本発明は、上記従来技術における問題点を解決するためになされたもので、上記従来のものに比べて構成簡易であって施工も容易であり、材料コスト及び作業コストの低廉化が図れ、しかも、換気面積を増大させることができて十分な通気性能と防雨・防雪機能を確保することができ、小屋裏換気用としてのみならず、室内換気システムの排気塔等としての利用も可能な換気装置を提供することを課題とする。
【課題を解決するための手段】
【０００５】
上記課題を解決するための請求項１に係る発明は、底面が開口された外殻と前記外殻内に配置される底面が開口された内殻の二重殻構造であって、前記外殻は、両側に傾斜する上面とそれに続く垂直側面を有し、前記垂直側面は閉塞されると共に前記上面傾斜面には通気部が形成され、前記内殻は、両側に傾斜する上面とそれに続く垂直側面を有し、前記内殻の上面傾斜面は閉塞されると共に、前記内殻の垂直側面には通気部が形成されていることを特徴とする換気装置である。
【０００６】
好ましい実施形態においては、前記外殻は外殻同士、前記内殻は内殻同士、それぞれ長さ方向に複数連結して長尺化され、前記外殻は前記内殻の一半部を覆うように配置され、互いに連結される２つの前記外殻の各一半部が合わさって１つの前記内殻全体を覆うようにされ、また、前記外殻が複数連結されて長尺化される場合において、最端部に配置される前記外殻にはその端部側一半部に前記通気部が形成されず、且つ、その一半部内には前記内殻が配置されない。
【０００７】
前記外殻の通気部及び前記内殻の通気部は、小孔を連設することによって構成することができる。好ましくは、前記外殻の垂直側面と前記内殻の垂直側面との間に入り込んだ雨水を、前記内殻同士を接合するジョイント部分から排水可能にする。
【０００８】
更に、前記内殻の垂直側面及び前記外殻の垂直側面の下縁を延長して排水スロープを形成し、それぞれその裏面にクッション材を定着することがある。前記外殻と前記内殻とは分離されていて、施工現場において組み立てられることが多い。
【発明の効果】
【０００９】
本発明に係る換気装置は上記構成のため、構成簡易であって施工も容易であり、材料コスト及び作業コストの低廉化が図れ、十分な通気性能と防雨・防雪機能を有し、小屋裏換気用としてのみならず、室内換気システムの排気塔等としての利用も可能であり、より詳細には、風雨、風雪時における雨雪は、外殻の側面が閉塞されていて高いためにこれに当って内部に入りにくく、一部の雨雪は外殻の通気部から入り込むが、その雨雪は、室内に入ることなく外殻と内殻の間を通って確実に排出され、一方、小屋裏等の汚れた空気は、内殻の通気部から外殻の通気部を通ってスムーズに排出される効果がある。
【発明を実施するための最良の形態】
【００１０】
本発明を実施するための最良の形態について、添付図面を参照しつつ説明する。本発明に係る換気装置は、底面が開口された外殻１と内殻２の二重殻構造であって、例えば棟部に形成される開口上に、当該開口を完全に覆うように設置される。外殻１と内殻２は、予め一体化されて搬入されることもあるが、多くの場合、分解して搬入され、現場において設置時に組み立てられる。
【００１１】
外殻１の外形は、その正面及び側面においてほぼ対称形状を呈し、その上面は比較的緩やかな傾斜面３とされ、そこに、通例、小孔５を連ねた小孔群で構成される通気部４が形成される。図示した小孔５は横長孔であるが、小孔５の形状はそれに限られる訳ではなく、円、楕円、長方形その他任意の形状となし得る。傾斜面３の下縁を垂直に延長して成る両側面６は、開口のない閉塞されたものとされる。外殻１の両側端面は、開口したままとされる。
【００１２】
外殻１は複数連結して用いられることが多く、その場合はセンター部用、中間部用、及びエンド部用の３種類が用意される。この３種類の違いは、センター部用外殻１ａは両端にジョイント７を有し、中間部用外殻１ｂは一端にのみジョイント７を有し（図２）、エンド部用外殻１ｃはジョイント７を有していない点にあり、また、エンド部用外殻１ｃの上面傾斜面３の通気部４は一半部（内方側）にしか形成されていない点にある（図３）。
【００１３】
ジョイント７は外殻１に対応する形状であって、連続する３つの部分から成る（図４）。その両側の２つの部分７ａ、７ｂは連結部であって、その下部には、外殻１の端部下部に、通例上下２つ穿設されるネジ孔２２に対応するネジ孔２０、２１が形成されている。ジョイント７は、その連結部７ａ、７ｂの一方が外殻１の端部に内装され、あるいは、外装され、その部分が、通例溶接、ネジ止め等により、外殻１の端部に固定される。固定されない側の露出している連結部７ａ（又は７ｂ）は、他の外殻１の端部に、ネジ止めにより接合されることになる。図示した例では、ジョイント７の中間部７ｃは、連結部７ａ、７ｂに対し、段差を以て形成されている。
【００１４】
各外殻１の側面６、６の中央部には、後述する内殻２を接続するための接続ネジ孔２３が形成される。また、エンド部用外殻１ｃの通気部４を設けてない側の端部に、その開口を閉塞するエンドカバー１５が取り付けられる。エンドカバー１５は、エンド部用外殻１ｃの端縁内に装入してそこに固定するための枠部１５ａを有する（図３参照）。
【００１５】
外殻１内に配置される内殻２は、その横断面は外殻１と大体相似形であって、その側面９と外殻１の側面６との間に適宜間隔を保持して外殻１内に配置される。その配置方法としては、例えば図示したように半長宛ずらす、即ち、１つの外殻１が１つの内殻２の一半部を覆うようにし、互いに連結される２つの外殻１の各一半部が合わさって、１つの内殻２全体が覆われるようにすることができる。この場合、最端部に配置されるエンド部用外殻１ｃの通気部４を形成してない部分内には、内殻２が存在しないことになる。このように半長宛ずらすことなく、１つの内殻２に１つの外殻１を対応させてもよいこともちろんである。
【００１６】
内殻２の上面は、比較的緩やかな閉塞された傾斜面８とされ、垂直の両側面９、９には通気部１０が形成される。この通気部１０は、外殻１の通気部４と同様に、小孔１１を連設することによって構成することができる。外殻１の側面６の高さは、この通気部１０が形成されている内殻２の側面９の高さよりも十分に高くする必要がある。
【００１７】
内殻２も、両端にジョイント１７を有するセンター部用と、一端にのみジョイント１７を有する中間部用とが用意される。各ジョイント１７には、内殻２同士を連結するために内殻２の端縁に形成される接続ネジ孔２７に対応する接続ネジ孔２５と、各外殻１の中間部に形成される接続ネジ孔２３に対応する接続ネジ孔２６とが形成される（図５、図６参照）。
【００１８】
ジョイント１７は内殻２に対応する形状であって、やはり３つの部分から成る。その両側の２つの部分１７ａ、１７ｂは連結部であって、それぞれの両側下部は延長されて上方に折曲され、外殻１の内側面に対する固定部３０とされる（図６、図７参照）。この固定部３０とジョイント１７の側面との間隔が、外殻１と内殻２の間隔を決定することになる。上述した外殻１の接続ネジ孔２３に対応する接続ネジ孔２６は、各連結部１７ａ、１７ｂの固定部３０に形成される。なお、接続ネジ孔２５形成部の内面と、固定部３０の接続ネジ孔２６形成部の内面には、それぞれ、ナット２８、２９を予め固定しておくことができる。
【００１９】
この内殻２のジョイント１７は、その連結部１７ａ、１７ｂの一方が内殻２の端部に内装され、あるいは、外装され、その部分が、ネジ止め等により内殻２の端部に固定される。固定されない側の露出している連結部１７ａ（又は１７ｂ）は、他の内殻２の端部に接合されることになる。
【００２０】
内殻２のジョイント１７の中間部の下底には排水孔３１が形成され（図６、図７参照）、この排水孔３１を通して、外殻１と内殻２との間に入り込んだ雨水の排水が可能となる。
【００２１】
内殻２の両側面９、９の下端は、屋根勾配に合わせて外側斜め下方に延長してスロープ３２が形成される（図８参照）。
【００２２】
３３は、内殻２のスロープ３２の裏面に定着されたクッション材で、必要に応じて設置される。このクッション材３３には、野地板面をせり登ってくる水を遮止する防水効果があり、また、物件によって異なっている屋根勾配の違いを吸収し、施工の確実性を担保する効果がある。
【００２３】
同様に、外殻１の両側面６、６下端を斜め下方に延長してスロープ３４を形成し、その裏面にクッション材３５を定着することもある（図８参照）。このクッション材３５もクッション材３３と同様の作用を奏する。なお、クッション材３５は、上記排水孔３１からの排水を可能にするために、排水孔３１に対向する部分が切り欠かれる。
【００２４】
本換気装置は、野地板の棟部に開口を設け、その開口に被せるように配置し、スロープ３４等を利用して野地板に、あるいは、野地板から垂木にかけて打ち付ける等によって固定される。
【００２５】
上記の如くして設置した本換気装置においては、風雨、風雪時に屋根に沿って吹き上げられてくる雨雪の多くは、外殻１の閉塞された側面６に当たるため、通気部４の小孔５を大きくしても、雨雪は内部に入り込みにくいものとなる。小孔５を通して入り込んだ雨雪は、内殻２の傾斜面８上に落ちて傾斜面８から側面９に沿って流れ落ち、排水孔３１に集まって排水される。
【００２６】
また、風の流れを考えると、一方の側（例えば図７において右側）の傾斜面３の通気部４から流入した風は、他方の側（同上左側）の傾斜面３の通気部４から抜けるが、その際、傾斜面３上を流れる風と共に、内殻２の通気部１０を介して小屋裏内の空気を引出すように作用する。
【００２７】
このように、本換気装置によれば、風雨、風雪時において屋根に沿って吹き上げられてくる雨雪は、閉塞されていて高い側面６に当って内部に入りにくく、外殻１の通気部４から入り込んだ一部の雨雪は、室内に入ることなく確実に排出され、一方、小屋裏等の汚れた空気は、内殻２の通気部１０から外殻１の通気部４を通ってスムーズに排出される。
【００２８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２９】
【図１】本発明に係る換気装置の構成を示す斜視図である。
【図２】本発明に係る換気装置の外殻（中間部用）の正面図である。
【図３】本発明に係る換気装置の外殻（エンド部用）の斜視図である。
【図４】本発明に係る換気装置の外殻のジョイントを示す図である。
【図５】本発明に係る換気装置の内殻の正面図である。
【図６】本発明に係る換気装置の内殻のジョイントを示す図である。
【図７】本発明に係る換気装置の内殻のジョイントの側面図である。
【図８】本発明に係る換気装置の縦断面図である、
【符号の説明】
【００３０】
１    外殻
１ａ  センター部用外殻
１ｂ  中間部用外殻
１ｃ  エンド部用外殻
２    内殻
３    傾斜面
４    通気部
５    小孔
６    側面
７    ジョイント
７ａ  連結部
７ｂ  連結部
７ｃ  中間部
８    傾斜面
９    側面
１０    通気部
１１    小孔
１５    エンドカバー
１５ａ  枠部
１７    ジョイント
１７ａ  連結部
１７ｂ  連結部
２０    ネジ孔
２１    ネジ孔
２２    ネジ孔
２３    接続ネジ孔
２５    接続ネジ孔
２６    接続ネジ孔
２７    接続ネジ孔
２８    ナット
２９    ナット
３０    固定部
３１    排水孔
３２    スロープ
３３    クッション材
３４    スロープ
３５    クッション材
【図１】
2006219905.tif 000003
【図２】
2006219905.tif 000004
【図３】
2006219905.tif 000005
【図４】
2006219905.tif 000006
【図５】
2006219905.tif 000007
【図６】
2006219905.tif 000008
【図７】
2006219905.tif 000009
【図８】
2006219905.tif 000010